(57)【要約】【課題】  運搬や収納が非常に容易であるとともに、身体全体に対し簡単に温熱発汗作用を促すことができ、しかも、実行中における身体に対する拘束感も比較的に少ない岩盤浴と同様の効果を得ることができる温熱発汗サックを提供すること。【解決手段】  合成樹脂シートにより作製された袋体１であって、この合成樹脂シートの袋体１には、熱エネルギーが付与されることにより励起されて4〜16μｍの遠赤外線を放射する遠赤外線放射体が含まれている一方、当該袋体１は、人体を収容可能であって、人Ｐが入るための開閉部11と顔を露出させて呼吸をさせるための襟口部12と左右の両手を通すための筒袖袋部13・13と、左右の両足を通すための袴足袋部14・14を備えて構成した。【選択図】  図１
0003118416.tif 000002
【実用新案登録請求の範囲】
【請求項１】
合成樹脂シートにより作製された袋体１であって、この合成樹脂シートの袋体１には、熱エネルギーが付与されることにより励起されて4〜16μｍの遠赤外線を放射する遠赤外線放射体Ｓが含まれている一方、当該袋体１は、人体Ｂを収容可能であって、人Ｐが入るための開閉部11と顔を露出させて呼吸をさせるための襟口部12と左右の両手を通すための筒袖袋部13・13と、左右の両足を通すための袴足袋部14・14を備えていることを特徴とする温熱汗掻きサック。
【請求項２】
袋体１が、人体Ｂから発汗される汗を漏らさない防水構造に作製されていることを特徴とする請求項１記載の温熱汗掻きサック。
【請求項３】
合成樹脂シートにより作製された袋体１であって、この合成樹脂シートの袋体１には、熱エネルギーが付与されることにより励起されて4〜16μｍの遠赤外線を放射する遠赤外線放射体Ｓが含まれている一方、当該袋体１は、人体Ｂの腕や脚、または腹部を部分的に被覆する筒状に形成されているとともに、前後の開口部分には拡縮部材16が使用されて人体Ｂに密着可能に作製されていることを特徴とする温熱汗掻きサック。
【請求項４】
袋体１を構成する合成樹脂シートに遠赤外線放射体Ｓが練り込まれており、当該袋体の内面全域にわたり、遠赤外線放射が可能であることを特徴とする請求項１〜３の何れか一つに記載の温熱汗掻きサック。
【請求項５】
袋体１を構成する合成樹脂シートが積層フィルムであって、この積層フィルムの少なくとも一層に遠赤外線放射体Ｓが練り込まれていることを特徴とする請求項１〜４の何れか一つに記載の温熱汗掻きサック。
【請求項６】
袋体１を構成する合成樹脂シートに遠赤外線放射体Ｓが面状に付着された遠赤放射粒層Fiが配設されていることを特徴とする請求項１〜３の何れか一つに記載の温熱汗掻きサック。
【請求項７】
袋体１に、遠赤外線放射体Ｓを含有した塗料が全面にわたり塗装されており、収容した人体Ｂに対し、遠赤外線を放射可能であることを特徴とする請求項１〜３の何れか一つに記載の温熱汗掻きサック。
【考案の詳細な説明】
【技術分野】
【０００１】
本考案は、温熱汗掻きサックの改良、詳しくは、岩盤浴に似た発汗効果を手軽に得ることができ、しかも、比較的に身動きの拘束感も少ない温熱汗掻きサックに関するものである。
【背景技術】
【０００２】
最近では、遠赤外線を輻射する岩盤に仰臥することで、細胞に刺激を与えて代謝を活性化させる、所謂ホルミンス効果を得る岩盤浴が流行しダイエットや健康増進の手段として愛好されるようになっている。
【０００３】
ところが、岩盤床材が並設されて複数の利用者が同時に使用できる一般的な岩盤浴設備は、非常に大型で、しかも、高価な特別の装置を必要としたことから、大規模温浴施設等の限られた場所でしか取り扱うことができず、利用者はその施設までわざわざ足を運ばなければならなかった。
【０００４】
そこで、従来において、一人の利用者が入れる程度の内部空間を有する箱体の床面に岩盤床材を敷設して構成することで、小規模な施設や家庭でも比較的手軽に設置できるようにした岩盤浴装置が提案された（例えば、特許文献１参照）。
【０００５】
しかしながら、上記の岩盤浴装置においては、岩盤床材を内蔵したことから、全体の重量は非常に大きく、さらに、人体が余裕で収まる箱体の大きさは、小規模施設や家庭から見ると小さいとは云えず、運搬や不使用時の収納に関して不便な構造であった。
【０００６】
また、上記装置を使用して岩盤浴を行った場合、シャッターを開けて外に出ようとすると箱装置内に密閉された熱気を逃がしてしまうことから、禁固状態で使用しなければならなかったため、使用者に精神的な拘束感を感じさせていた。
【０００７】
そしてまた、岩盤床材に仰臥して行う岩盤浴においては、一面的にしか遠赤放射を受けることができず、全身に効果を得るためには、一定時間が経過する度に寝返って体勢の変更を行うという煩わしい手順が必要であった。
【特許文献１】登録実用新案第３１０４０５０号公報（第２−８頁、第１−６図）
【考案の開示】
【考案が解決しようとする課題】
【０００８】
本考案は、この上記の問題に鑑みてなされたものであって、その目的とするところは、運搬や収納が非常に容易であるとともに、身体全体に対し簡単に温熱発汗作用を促すことができ、しかも、実行中における身体に対する拘束感も比較的に少ない岩盤浴と同様の効果を得ることができる温熱発汗サックを提供することにある。
【課題を解決するための手段】
【０００９】
本考案者が、上記課題を解決するために採用した手段を添付図面を参照して説明すれば次のとおりである。
【００１０】
即ち、本考案は、合成樹脂シートにより作製された袋体１であって、この合成樹脂シートの袋体１には、熱エネルギーが付与されることにより励起されて4〜16μｍの遠赤外線を放射する遠赤外線放射体Ｓが含まれている一方、当該袋体１は、人体Ｂを収容可能であって、人Ｐが入るための開閉部11と顔を露出させて呼吸をさせるための襟口部12と左右の両手を通すための筒袖袋部13・13と、左右の両足を通すための袴足袋部14・14を備えて構成する点に特徴がある。
【００１１】
また、本考案において、上記課題を解決するための構成としては、袋体１を、人体Ｂから発汗される汗を漏らさない防水構造に作製するという技術的手段を採用することができる。
【００１２】
また、本考案において、上記課題を解決するための構成としては、合成樹脂シートにより作製された袋体１であって、この合成樹脂シートの袋体１には、熱エネルギーが付与されることにより励起されて4〜16μｍの遠赤外線を放射する遠赤外線放射体Ｓが含まれている一方、当該袋体１を、人体Ｂの腕や脚、または腹部を部分的に被覆する筒状に形成するとともに、前後の開口部分には拡縮部材16を使用して人体Ｂに密着可能に作製するという技術的手段を採用することができる。
【００１３】
また、本考案において、上記課題を解決するための構成としては、袋体１を構成する合成樹脂シートに遠赤外線放射体Ｓが練り込まれている当該袋体の内面全域にわたり、遠赤外線放射を可能にするという技術的手段を採用することができる。
【００１４】
また、本考案において、上記課題を解決するための他の構成としては、袋体１を構成する合成樹脂シートに積層フィルムを用いて、この積層フィルムの少なくとも一層に遠赤外線放射体Ｓを練り込むという技術的手段を採用することができる。
【００１５】
また、本考案において、上記課題を解決するための更に他の構成としては、袋体１を構成する合成樹脂シートに遠赤外線放射体Ｓを面状に付着した遠赤放射粒層Fiを配設するという技術的手段を採用することができる。
【００１６】
また、本考案において、上記課題を解決するための更に他の構成としては、袋体１に遠赤外線放射体Ｓを含有した塗料を全面にわたり塗装するという技術的手段を採用することができる。
【考案の効果】
【００１７】
本考案においては、熱エネルギーを付与することにより4〜16μｍの遠赤外線を放射する遠赤外線放射体を含んだ袋体で構成したことによって、岩盤浴と略同等の効果を得られる汗掻きサックを形成することができる。同時に、袋体を合成樹脂シートで作製したことから、この汗掻きサックは、非常に軽量で、かつ、折り畳みによりコンパクトにできるため、運搬及び収納を容易に行うことができる。そのため、誰もが比較的自由に購入して使用することができるようになる。
【００１８】
また、袋体内部に人が入って使用できる形態で作製したことにより、使用中は身体全体に対して遠赤放射を浴びることができるため、体勢をわざわざ変更する必要はない。
【００１９】
そしてまた、袋体に、顔を露出できる襟口部及び両手を通す筒袖袋部、両足を通す袴足袋部を形成したことにより、使用中において、袋内の熱気を逃がすことなく比較的自由に行動できるため、精神的な拘束感を感じさせることはない。
【００２０】
したがって、本考案により、岩盤浴と略同等のサウナ効果を、誰もが手軽に、そして精神的苦痛を感じることなく得ることができることから、実用的利用価値は頗る高いものと云える。
【考案を実施するための最良の形態】
【００２１】
『第１実施形態』
本考案の実施形態を具体的に図示した図面に基いて更に詳細に説明すると次のとおりである。図中、符号１で指示するものは、人体を収容するための袋体である。
【００２２】
次に、本実施形態の構成を以下から説明する。まず、合成樹脂シートにより人体Ｂを収容若しくは可能な内部空間を有した袋体１を作製する（図１参照）。そして、この袋体１には、熱エネルギーが付与されることにより励起されて4〜16μｍの遠赤外線を放射する遠赤外線放射体Ｓを含有させる。なお、本実施形態においては、合成樹脂シートの材料に安価で成形性に優れたポリオレフィン系樹脂を用いるとともに、この合成樹脂に遠赤外線放射体Ｓを練り込むことにより、袋体１の内面全域にわたる遠赤外線放射を可能にした（図２参照）。
【００２３】
さらに、当該袋体１の上部位置には、顔を露出させて呼吸をさせるための襟口部12を設けるとともに、この襟口部12を一端とするジッパーを付設して、人Ｐが入るための開閉部11を形成した。そして、左右の両手を通すための筒袖袋部13・13及び左右の両足を通すための袴足袋部14・14を袋体１の左右両側と下部位置にそれぞれ分岐して配設し、全体を構成した。
【００２４】
上記のように構成したことにより、岩盤浴と略同等の効果を得られる汗掻きサックを形成することができ、同時に、この汗掻きサックは、非常に軽量で、かつ、折り畳みによりコンパクトになるため、運搬及び収納を容易に行うことができる。
【００２５】
また、袋体１の内部に入って使用する際には、身体全体に対して遠赤放射を浴びることができるため、岩盤浴のように体勢をわざわざ変更する必要はない。
【００２６】
そしてまた、使用中において、袋内の熱気を逃がすことなく比較的自由に行動することができるため、使用者は精神的な拘束感を感じることはない。
【００２７】
また、本実施形態では、遠赤外線放射体Ｓには、体温域（35〜37℃）の熱エネルギーでも優れた放射量を示す天然石（例えば、麦飯石や三仙石など）を採用するとともに、この天然石を合成樹脂に練り込んだ合成樹脂シートを使用した。なお、合成樹脂シートには、少なくとも一層に遠赤外線放射体Ｓを練り込んだ積層フィルムを採用してもよい。
【００２８】
そして、袋体１を、人体Ｂから発汗される汗を漏らさない防水構造で作製すれば、防水シート等の敷布が不要となるだけでなく、握持した物を湿らすことがないため、読書やリモコン操作等を行うことができるようになる。
【００２９】
そして、本実施形態における汗掻きサックの使用に関しては、腕は筒袖袋部13・13には常に両腕を通す必要はなく、特に仰臥して使用する際は、好みの体勢を採ればよい（図３参照）。また、起立して使用する場合においては、固定部材15で筒袖袋部13・13及び袴足袋部14・14を四肢に締め付けて固定することにより、筒袖袋部13・13の抜けや袴足袋14・14のだぶつきを防止するのが好ましい（図４参照）。
【００３０】
さらに、汗掻きサックの使用に関しては、サック内の使用者の体温のみで遠赤外線放射体Ｓを励起させることも可能であるが、温熱マット等の補助熱源を使用すれば、遠赤外線放射体Ｓの励起を促進し、効率的にサウナ効果を得ることができる。また、袋体１を、水を浸透させない防水構造で作製して、使用者が着衣したままの状態で風呂に入れば、サック全体に対し補助的な加熱を行うことができる。
【００３１】
『第２実施形態』
次に、本考案の第２実施形態を図５に基いて説明する。本実施形態では、袋体１を、人体Ｂの腕や脚、または腹部を部分的に被覆する筒状に形成し、さらに、前後の開口部分に拡縮部材16を使用して人体Ｂに密着可能に作製した。
【００３２】
これにより、身体の特定部分に対して岩盤浴効果を選択的に得ることができるようになるため、部分ダイエットに利用することができる。また、袋体１が、非常にコンパクトに形成できることから、旅行等で携帯することも非常に容易である。
【００３３】
また、本考案は、概ね上記のように構成されるが、図示の実施形態に限定されるものではなく、「実用新案登録請求の範囲」の記載内において種々の変更が可能であって、例えば、袋体１の開閉部11にファスナーを用いずに、襟口部12に伸縮部材を使用し、着脱できる程度に拡張可能にして、開閉部11としてもよい。
【００３４】
また、遠赤外線放射体Ｓの含有形態においては、合成樹脂シートに、遠赤外線放射体Ｓを含有した繊維、または、遠赤外線放射体Ｓを付着させた繊維から成る布地を付着して遠赤放射粒層Fiを形成してもよい（図６、７参照）。加えて、袋体１に、遠赤外線放射体Ｓを含有した塗料を全面にわたり塗装してもよく、何れも本考案の技術範囲に属する。
【産業上の利用可能性】
【００３５】
最近では、岩盤浴の健康及び美容効果が注目を集め、利用者が増大している。そして、これらの利用者を標的として様々な施設で岩盤浴設備が導入されているが、このような施設がない地域もまだまだ多い。また、上記施設を使用している利用者も長期間通うとなると経費が嵩むため、継続的に岩盤欲を行うことは難しい。そのため、岩盤浴の効果をもっと身近な施設や家庭内で手軽に得たいとの要望が高まってきている。
【００３６】
そのような中で、本考案は、岩盤浴と略同等の効果を手軽に得る方法に主眼を置いて為されていることから、上記の需要者に充分に応えることができると考えられるため、本考案の産業上の利用価値は非常に高いと云える。
【図面の簡単な説明】
【００３７】
【図１】本考案の第１実施形態における汗掻きサックを表わす全体斜視図である。
【図２】本考案の第１実施形態における袋体断面を表わす拡大断面図である。
【図３】本考案の第１実施形態における使用状態を表わす状態説明図である。
【図４】本考案の第１実施形態における使用状態を表わす状態説明図である。
【図５】本考案の第２実施形態における汗掻きサックを表わす全体斜視図である。
【図６】本考案における遠赤外線放射体の含有形態の変形例を表わす全体斜視図である。
【図７】本考案の変形例における袋体の断面を表わす拡大断面図である。
【符号の説明】
【００３８】
１  袋体
11  開閉部
12  襟口部
13  筒袖袋部
14  袴足袋部
15  固定部材
16  拡縮部材
Ｓ  遠赤外線放射体
Ｂ  人体
Ｐ  人
Fi  遠赤放射粒層
【図１】
0003118416.tif 000003
【図２】
0003118416.tif 000004
【図３】
0003118416.tif 000005
【図４】
0003118416.tif 000006
【図５】
0003118416.tif 000007
【図６】
0003118416.tif 000008
【図７】
0003118416.tif 000009